(57)【特許請求の範囲】
【請求項１】
前面に複数の係合孔を上下方向に離間させて列設した支柱と、
この支柱の前方を左右方向に仕切る仕切材と、
この仕切材の後部を左右から挟んで保持しうる保持部およびこの保持部を前記支柱における複数の係合孔に選択的に係止しうる係止部を有する保持部材と、
前記仕切材を、前記支柱に対して前後方向に移動可能として支持しうる支持手段とを備え、
前記仕切材の前後方向の移動可能範囲を、前記仕切材を前方に移動させたとき、前記仕切材の後端と前記支柱の前面との間に、前記保持部材を別の係合孔に付け替えしうるだけの作業スペースを形成しうるように定めたことを特徴とする什器。
【請求項２】
前記仕切材の前後方向の移動可能範囲を、前記保持部材における係止部の前後方向の長さより大とした請求項１記載の什器。
【請求項３】
前記支持手段が、前記仕切材を支柱に対して前後方向に移動可能として案内するガイド部材を備えている請求項１または２記載の什器。
【請求項４】
前記支持手段が、前記仕切材の前端部が前後方向に移動可能として嵌合する嵌合溝を有する前部ガイド部材を備えている請求項１〜３のいずれかに記載の什器。
【請求項５】
前記支持手段が、支柱の下端部から前方を向き、かつ前記仕切材の下端を前後方向に移動可能として支持する下部ガイド部材と、支柱の上端部から前方を向き、かつ前記仕切材の上端を前後方向に移動可能として支持する上部ガイド部材と、下端部が前記下部ガイド部材の前端部に結合され、かつ上端部が前記上部ガイド部材の前端部に結合された前記前部ガイド部材とを備え、前記下部ガイド部材、上部ガイド部材および前部ガイド部材により、前記仕切材の下端、上端および前端を囲繞するようにした請求項４記載の什器。
【請求項６】
前記保持部材における保持部が、前記仕切材の後部を、上下方向に摺動可能、かつ自重により落下しない程度の把持力をもって把持するようにした請求項１〜５のいずれかに記載の什器。
【発明の詳細な説明】
【技術分野】
【０００１】
本発明は、スーパーマーケットやコンビニエンスストア等において使用される商品陳列什器、ドラッグストアや薬局等において使用される化粧品什器、倉庫や工場等において使用される物品載置棚等を含む什器に関する。
【背景技術】
【０００２】
従来のこの種の什器には、物品収容空間を左右方向に仕切る仕切板を、それと一体をなす係合部材における爪を、物品収容空間の後部における棚支柱の前面に設けた係合孔に係止させることにより取り付けるようにしたものがある(例えば特許文献１または２参照)。
この棚支柱の前面に設けた係合孔は、物品収容空間内に配設する棚板を支持するためのブラケットの後端に設けた係止爪を係止するための係合孔(例えば特許文献３の図１または同じく図３参照)と兼用されることがある。
【０００３】
また、この種の什器には、側面材を、支柱に取り付けたサイドフレームに取り付けたり(例えば特許文献４参照)、支柱の側面に直接取り付けたりしたものがある(例えば特許文献５参照)。
【先行技術文献】
【特許文献】
【０００４】
【特許文献１】特開２００１−１２０３９８号公報(図２)
【特許文献２】特開平７−２２７３３９号公報(図２)
【特許文献３】特開２０１０−１８３９３１号公報(図１および図３)
【特許文献４】特許第５２２６２８６号公報(図４)
【特許文献５】特開２００６−２８８８２６号公報(図１および図２)
【発明の概要】
【発明が解決しようとする課題】
【０００５】
特許文献１および２に記載されている仕切材保持用の係合部材の爪を、特許文献３に記載されている棚板支持用のブラケットの係合爪を係止するための係合孔に係止しようとすると、係合部材とブラケットとが干渉して、棚板の高さを変更しようとしたとき、先に取り付けた係合部材によって、ブラケットの係合爪を所望の係合孔に係止するのが妨げられ、棚板の高さを自由に変更することができなくなったり、棚板の取り付け高さの変更を優先させようとすると、仕切材に対する係合部材の取付位置を変更しなければならなくなる等の問題がある。
【０００６】
また、特許文献４および５に記載されている側面材を取り付けた同一形状の複数の什器を左右方向に並べて使用する場合、互いに隣接する什器の側面材間に、物品を収容できない無駄な空間が形成されることがあり、また前記側面材同士を密接させて、例えば仕切材としようとすると、その合計厚さが大となり、不体裁となるおそれがある。
【０００７】
本発明は、従来の技術が有する上記のような問題点に鑑みてなされたもので、支柱に対する仕切材の保持部材の取付位置を簡単に変更することができるとともに、仕切材を側面材としても使用することができるようにした什器を提供することを目的としている。
【課題を解決するための手段】
【０００８】
本発明によると、上記課題は、次のようにして解決される。
（１）什器を、前面に複数の係合孔を上下方向に離間させて列設した支柱と、この支柱の前方を左右方向に仕切る仕切材と、この仕切材の後部を左右から挟んで保持しうる保持部およびこの保持部を前記支柱における複数の係合孔に選択的に係止しうる係止部を有する保持部材と、前記仕切材を、前記支柱に対して前後方向に移動可能として支持しうる支持手段とを備えるものとし、前記仕切材の前後方向の移動可能範囲を、前記仕切材を前方に移動させたとき、前記仕切材の後端と前記支柱の前面との間に、前記保持部材を別の係合孔に付け替えしうるだけの作業スペースを形成しうるように定める。
【０００９】
このような構成によると、仕切材を支持手段に沿って前方に移動させることにより、仕切材の後端と支柱の前面との間に、保持部材を別の係合孔に付け替えしうるだけの作業スペースを形成し、この作業スペースを利用して、保持部材を、高さの異なる別の係合孔に簡単に付け替えることができる。
それによって、保持部材が、棚板支持用のブラケットと干渉するのを避けることができ、棚板を後付けしたり、棚板の高さを、所望の高さに自由に変更したりすることができる。
また、仕切材を、什器における側端に設けた支柱に取り付けることにより、仕切材を側面材として使用することができるとともに、同様の複数の什器を左右方向に並べて使用する際に、互いに隣接する什器の側面材として使用していた１対の仕切材のいずれか一方を取り外すことにより、左右方向に連続する横長の収容空間に、複数の同一の仕切材が、左右方向に離間して設けられた美麗な外観の横長の連結什器を提供することができる。
【００１０】
（２）上記(１)項において、前記仕切材の前後方向の移動可能範囲を、前記保持部材における係止部の前後方向の長さより大とする。
【００１１】
このような構成によると、仕切材を支持手段に沿って前方に移動させたとき、仕切材の後端と支柱の前面との間に、保持部材を別の係合孔に付け替えしうるだけの作業スペースを確実に確保することができる。
【００１２】
（３）上記(１)または(２)項において、前記支持手段が、前記仕切材を支柱に対して前後方向に移動可能として案内するガイド部材を備えているものとする。
【００１３】
このような構成によると、仕切材を、支持手段に沿って前後方向に円滑に移動させることができる。
【００１４】
（４）上記(１)〜(３)項のいずれかにおいて、前記支持手段が、前記仕切材の前端部が前後方向に移動可能として嵌合する嵌合溝を有する前部ガイド部材を備えているものとする。
【００１５】
このような構成によると、仕切材の前端が外部に露呈するのを防止することができ、美麗な外観を呈することができるだけでなく、仕切材の前端部を前部ガイド部材によって防護することができる。
【００１６】
（５）上記(４)項において、前記支持手段が、支柱の下端部から前方を向き、かつ前記仕切材の下端を前後方向に移動可能として支持する下部ガイド部材と、支柱の上端部から前方を向き、かつ前記仕切材の上端を前後方向に移動可能として支持する上部ガイド部材と、下端部が前記下部ガイド部材の前端部に結合され、かつ上端部が前記上部ガイド部材の前端部に結合された前記前部ガイド部材とを備え、前記下部ガイド部材、上部ガイド部材および前部ガイド部材により、前記仕切材の下端、上端および前端を囲繞するようにする。
【００１７】
このような構成によると、仕切材を安全かつ強固に支持することができるとともに、仕切材と支持手段とによって、鍵がかかる収納部の側面材として使用することもできる。
【００１８】
（６）上記(１)〜(５)項のいずれかにおいて、前記保持部材における保持部が、前記仕切材の後部を、上下方向に摺動可能、かつ自重により落下しない程度の把持力をもって把持するようにする。
【００１９】
このような構成によると、仕切材を前方に移動させて形成した作業スペースを利用して、保持部材を別の係合孔に付け替えする際に、支柱の係合孔から係止部を外した保持部材が、仕切材の後部を把持した状態を維持することができ、保持部材が自重により落下するのを防止することができ、しかも、保持部材の保持部が仕切材の後部を把持したままの状態で、保持部材を、仕切材の後端に沿って、所望の高さまで上下動させることができるので、保持部材を別の係合孔に付け替えする際の作業性が向上する。
【発明の効果】
【００２０】
本発明によると、支柱に対する仕切材の保持部材の取付位置を簡単に変更することができるとともに、仕切材を側面材としても使用することができるようにした什器が提供される。
【図面の簡単な説明】
【００２１】
【図１】本発明の什器の一実施形態を、前面右上方より見た斜視図である。
【図２】図１のII−II線における縦断側面図である。
【図３】図２のIII−III線における拡大横断平面図である。
【図４】図２のIV−IV線における拡大横断平面図である。
【図５】図２のV部における拡大分解斜視図である。
【図６】図２のVI−VI線における拡大縦断正面図である。
【図７】図２のVII−VII線における拡大縦断正面図である。
【図８】前部ガイド部材を後方から見た分解斜視図である。
【図９】仕切材を、図４に示す状態から、前方へ移動させたときの、図４と同様の部分の拡大横断平面図である。
【図１０】図９のX−X線における拡大縦断側面図である。
【図１１】本発明の什器の変形例における図２と同様の部分の拡大縦断側面図である。
【発明を実施するための形態】
【００２２】
以下、本発明の什器の一実施形態を、図面を参照して説明する。
図１に示すように、この什器は、化粧品等の商品陳列用のもので、水平のベース１と、このベース１の後部における中央部と両側部とに立設した３本の支柱２と、隣り合う支柱２、２の上端部同士を連結する上部連結杆３と、ベース１と上部連結杆３との間において、隣り合う支柱２、２間に架設した背面板４とを備えている。
【００２３】
各支柱２の前面および後面には、図５に示すように、左右複列の係合孔５、５が、上下方向に等間隔をもって列設されている。
【００２４】
隣り合う１対の支柱２、２における等高の係合孔５、５には、それぞれ棚板６支持用のブラケット７(図２および図５参照)の後端に設けた係合爪７ａが係止され、等高で並ぶ左右のブラケット７、７をもって、棚板６が所望の高さに支持されている。
【００２５】
図１〜図４に示すように、各支柱２の前面には、この支柱２の前方空間を左右方向に仕切る仕切材である仕切板８と、この仕切板８を、支柱２に対して前後方向に移動可能として支持しうる支持手段である支持枠９が設けられている。
【００２６】
仕切板８は、透明、半透明、または不透明のアクリル板、ガラス板、木製板、合成樹脂板、その他の材料よりなる垂直板状のものである。
【００２７】
支持枠９は、支柱２の下端部から前方を向き、かつ仕切板８の下端を前後方向に移動可能として支持する下部ガイド部材１０と、支柱２の上端部から前方を向き、かつ仕切板８の上端を前後方向に移動可能として支持する上部ガイド部材１１と、下端部が下部ガイド部材１０の前端部に結合され、上端部が上部ガイド部材１１の前端部に結合され、かつ仕切板８の前端部が前後方向に移動可能として嵌合する嵌合溝１３ａを有する前部ガイド部材１３とを備え、下部ガイド部材１０、上部ガイド部材１１および前部ガイド部材１３により、仕切板８の下端、上端および前端を、前後方向に移動可能として囲繞している。
【００２８】
下部ガイド部材１０は、具体的には、図２および図７に示すように、断面上向コ字形をなし、かつベース１の上面に固着された前後方向を向く下部杆１０ａとしてあるが、図１１に示す変形例のように、ベース１の上面に設けた前後方向を向く凹溝３５とすることもある。
【００２９】
上部ガイド部材１１は、図２および図６に示すように、支柱２の上端部から前方を向くようにして、後端部が支柱２の上端部に結合された角管状の上部杆１２の下面に固着した断面下向コ字状のチャンネル材１２ａとしてあるが、図１１に示す変形例のように、上部杆１２の下面に設けた前後方向を向く凹溝３６とすることもある。
【００３０】
前部ガイド部材１３は、図２〜図４、図８および図９に示すように、開口部が後方を向く平面視後向コ字状のチャンネル材よりなる前部杆１４の内側に、インナーサッシ１５を嵌合して形成されている。
【００３１】
インナーサッシ１５は、平面視後向Ｌ字状をなす左右１対のアングル材１６、１６の長片１６ａ、１６ａ同士を、仕切板８の板厚分だけ離間させて背向させ、両アングル材１６、１６の短片１６ｂ、１６ｂの上下部を、両側片１７ａ、１７ａが後方に向かってわずかに拡開するようにした上下１対のチャンネル材１７、１７の各基片１７ｂに固着して形成されている。
インナーサッシ１５は、上下のチャンネル材１７、１７の両側片１７ａ、１７ａを内向きに弾性撓曲させつつ、前部杆１４内に圧嵌させることにより、前部杆１４内に強固に取り付けられている。
【００３２】
インナーサッシ１５におけるアングル材１６、１６の長片１６ａ、１６ａ間の空間により、仕切板８の前端部が前後方向に移動可能として嵌合する嵌合溝１３ａが形成されている。
この嵌合溝１３ａの前後方向の深さは、後述する仕切板８の前後方向の移動可能範囲Ｌ１よりも大とし、仕切板８が、図２〜図４に示す正規の装着位置に位置しているときにも、仕切板８の前端部が、この嵌合溝１３ａから離脱することのないようにしてある。
【００３３】
仕切板８の後端部は、支柱２に係止した４個の保持部材１８により保持されている。
各保持部材１８は、図２〜図５に示すように、仕切板８の後端部を左右から挟んで保持しうる１対の把持片１９ａ、１９ａからなる保持部１９と、この保持部１９から後方へ突出し、保持部１９を支柱２における複数の係合孔に選択的に係止しうる係止部２０とからなっている。
【００３４】
係止部２０は、図３および図４に示すように、左右の把持片１９ａ、１９ａによって挟まれた仕切板８の中心が、支柱２の前面における左右方向の中心と一致させた状態で、支柱２の前面における左右の係合孔５、５の列のいずれか一方に係止しうるように、左右の把持片１９ａ、１９ａ間の中心より側方に変位した下向きフック２０ａと上向きフック２０ｂとを備えている。
【００３５】
下向きフック２０ａの下端と上向きフック２０ｂの上端との間隔は、支柱２の前面における上下に隣接する上方の係合孔５の下端と、下方の係合孔５の上端との間の間隔より大とし、下向きフック２０ａと上向きフック２０ｂとを、上下に隣接する係合孔５、５に、同時に前方より挿入し、かつ予め定めた係合代だけ下降しうるようにしてある。
【００３６】
保持部材１８は、図２他に示すように、側面視において上下対称の形状をしており、図５に示す状態では、左右の把持片１９ａ、１９ａによって把持した仕切板８の中心を、支柱２の前面における左右方向の中心と一致させた状態で、下向きフック２０ａを、支柱２の前面における左方の列の係合孔５に係止できるようにしてあるが、保持部材１８を、前後方向を向く中心線Ｌ回りに１８０度回転させて、上下反転させることにより、そのときに上方に位置した上向きフック２０ｂを、左右の把持片１９ａ、１９ａによって把持した仕切板８の中心位置を変更させることなく、支柱２の前面における右方の列の係合孔５に係止させることができるようにしてある。
これによって、同一の保持部材１８を上下の向きを反転させるだけで、下向きフック２０ａか上向きフック２０ｂのいずれかを、支柱２の前面における左右のいずれの列の係合孔５にも係止させることができ、勝手違いの態様にも対応することができる。
【００３７】
保持部１９における両把持片１９ａ、１９ａは、仕切板８の後端部に後方より嵌合したとき、自重では落下しないが、使用者が手で上下動させることにより、仕切板８の後端部に沿って上下方向に摺動しうるように、適度の把持力をもって仕切板８の後端部を把持するようにしておくのが好ましい。
そのためには、両把持片１９ａ、１９ａの内面に、ゴム等の弾性体、織布、不織布、その他の材料よりなるパッド材(図示略)を貼設しておくのが好ましい。
【００３８】
このようにすることによって、仕切板８を前方に移動させて形成した後述する作業スペース２４を利用して、保持部材１８を別の係合孔５に付け替えする際に、支柱２の係合孔５から係止部２０を外した保持部材１８が、仕切板８の後部を把持した状態を維持することができ、保持部材１８が自重により落下するのを防止することができ、しかも、保持部材１８の保持部１９が仕切板８の後部を把持したままの状態で、保持部材１８を、仕切板８の後端に沿って、所望の高さまで上下動させることができるので、保持部材１８を別の係合孔５に付け替えする際の作業性が向上する。
【００３９】
保持部１９における両把持片１９ａ、１９ａの側面におけるほぼ中央には、取付孔２１が設けられている。
【００４０】
図２および図３に示すように、仕切板８の後端部における上部と下部に取り付ける保持部材１８は、取付孔２１を利用して、公知のプッシュリベット２２により、仕切板８に止着してあるが、上下の保持部材１８間に位置している中間の２個の保持部材１８は、図４に示すように、上記のプッシュリベット２２による止着は行っておらず、両把持片１９ａ、１９ａによって、仕切板８の後端部を左右から挟むだけとしてある。
【００４１】
すなわち、仕切板８の後端部における上部と下部のみに取付孔２３(図３参照)が穿設されており、この取付孔２３に、両把持片１９ａ、１９ａにおける取付孔２１が整合するようにして、上下の保持部材１８における両把持片１９ａ、１９ａをもって仕切板８の後端部を挟み、次いで、互いに整合している両把持片１９ａ、１９ａの取付孔２１とその間における仕切板８の取付孔２３に、プッシュリベット２２におけるグロメット２２ａを挿入した後、グロメット２２ａにプランジャ２２ｂを挿入して、グロメット２２ａの軸端部を拡開させることにより、グロメット２２ａを取付孔２１および取付孔２３から抜け止めし、上下の保持部材１８は、仕切板８の後端部における上部と下部とに止着されている。
【００４２】
上下の保持部材１８における下向きフック２０ａは、保持部材１８をプッシュリベット２２をもって仕切板８の後端部に止着する前に、支柱２の前面における上部と下部の対応する係合孔５の下縁に係止しておく。
この支柱２の前面における上部と下部の係合孔５には、棚板６支持用のブラケット７を係止することはないので、これらの係合孔５に係止させた上部と下部の保持部材１８は、支柱２への取付位置を変更する必要性が生じることはない。
この上下の保持部材１８により、仕切板８は、正規の装着位置から前方への移動と、後部の左右方向への移動とが阻止されている。
【００４３】
中間部の２個の保持部材１８は、その下向きフック２０ａを、支柱２の前面における中間の任意の係合孔５の下縁に係止し、かつ左右の把持片１９ａ、１９ａによって、仕切板８の後端部を左右から挟むことにより、仕切板８の後端部の中間部が左右方向へ移動するのを阻止している。
【００４４】
仕切板８は、上下の保持部材１８におけるプッシュリベット２２を外すことにより、支持枠９に沿って、前後方向に移動することができ、その前後方向の移動可能範囲Ｌ１は、仕切板８を前方に移動させたとき、仕切板８の後端と支柱２の前面との間に、保持部材１８を別の係合孔５に付け替えしうるだけの、図９および図１０に示すような作業スペース２４を形成しうるように定めてある。
この仕切板８の前後方向の移動可能範囲Ｌ１は、保持部材１８における係止部２０の前後方向の長さＬ２より大としてある。
【００４５】
したがって、棚板６を支持するブラケット７と、保持部材１８とが干渉しそうな場合には、上下の保持部材１８からプッシュリベット２２を外し、かつ中間の２個の保持部材１８を、仕切板８の後縁に沿って、支柱２の係合孔５から離脱可能な位置まで上昇させておき、その後、仕切板８を、その前端が前部ガイド部材１３における嵌合溝１３ａの溝底である上下のチャンネル材１７の基片１７ｂに当接する前限まで移動させると、上下の保持部材１８は、支柱２に係止されたまま仕切板８から離れ、中間の２個の保持部材１８は、両把持片１９ａ、１９ａが仕切板８の後端部を把持した状態で、仕切板８とともに、支柱２から離れて前方に移動する。
【００４６】
仕切板８を前限まで移動させることにより、仕切板８の後端と支柱２の前面との間に、作業スペース２４が形成されるので、この作業スペース２４を利用して、中間の２個の保持部材１８を、ブラケット７と干渉しない適当な高さまで、仕切板８の後縁に沿って上下動させ、その後、仕切板８を後方に移動させて、仕切板８の後端上下部を、支柱２に係止されている上下の保持部材１８における両把持片１９ａ、１９ａ間に嵌合させるとともに、中間の２個の保持部材１８における下向きフック２０ａと上向きフック２０ｂとを、支柱２の前面における対応する高さの係合孔５にそれぞれ嵌合した後下降させて、下向きフック２０ａを、嵌合した係合孔５の下縁に係止させる。
【００４７】
その後、上下の保持部材１８にプッシュリベット２２を装着して、各保持部材１８を、仕切板８の後端上下部に止着する。
【００４８】
このようにすることによって、中間の２個の保持部材１８を、作業スペース２４を利用して、高さの異なる別の係合孔５に簡単に付け替えることができる。
それによって、保持部材１８が、棚板６支持用のブラケット７と干渉するのを避けることができ、棚板６を後付けしたり、棚板６の高さを、所望の高さに自由に変更したりすることができる。
【００４９】
図１に示すように、左右両側部の支柱２の前面に設けた仕切板８と支持枠９は、側面材となっている。
【００５０】
この実施形態においては、中間の支柱２に設けた支持枠９における前部杆１４の上端と、左方の支柱２に設けた支持枠９における前部杆１４の上端とを、左右方向を向く横杆２６をもって連結し、この横杆２６と、それによって連結された左右の支持枠９における上部杆１２と、後方の上部連結杆３とによって囲まれた空間の上端開口部を、透明板よりなる天板２７をもって閉塞し、さらに、横杆２６の下面と、それに対向するベース１の上面とに、レール２８、２９を設け、透明板よりなる２枚の引き戸３０、３１が、両レール２８、２９に沿って引き違いに開閉できるようにし、両引き戸３０、３１に施錠装置３２を設け、ベース１の左半部上に、鍵の掛かる収容空間３３を形成している。
天板２７は、横杆２６と、左右の上部杆１２と、後方の上部連結杆３とに、単にねじ止めするだけでよい。
【００５１】
また、図示は省略したが、中間の支柱２に設けた支持枠９における前部杆１４の前面と、左方の支柱２に設けた支持枠９における前部杆１４の前面とに、支柱２おける係合孔５と同様の複数の係合孔を設け、これに、棚板支持用のブラケットを係止して、左右のブラケットにより、引き戸３０、３１の前方に、棚板(図示略)を配設することもある。
【００５２】
図１１は、本発明の什器の変形例を示す。なお、図１〜図１０に示す実施形態におけるのと同一または類似の部材には、同一の符号を付して図示するに止め、それらについての詳細な説明は省略する。
【００５３】
この変形例では、上記実施形態における上下の保持部材１８に代えて、支柱２の前面における上下部に、平面視Ｌ字状のブラケット３４を固着し、その一片に設けた取付孔(図示略)を、仕切板８の後端上下部に設けた取付孔２３(図３および図１１の２点鎖線参照)に整合させて、それらにプッシュリベット２２を取り付けることにより、仕切板８を支柱２に止着してある。
【００５４】
また、上記実施形態における前部ガイド部材１３を省略し、仕切板８の下端部を、ベース１の上面に設けた前後方向を向く凹溝３５に、前後方向に摺動可能として嵌合し、かつ仕切板８の上端部を、上部杆１２の下面に設けた前後方向を向く凹溝３６に、前後方向に摺動可能として嵌合し、仕切板８を、両凹溝３５、３６に沿って前限まで移動させたとき、仕切板８の前端下部と前端上部が、凹溝３５、３６の前端壁３５ａ、３６ａに当接して、仕切板８のそれ以上前方への移動が阻止されるようにしてある。
【００５５】
したがって、この変形例においては、ベース１における凹溝３５を設けた部分によって、下部ガイド部材１０が形成され、下面に凹溝３６を設けた上部杆１２によって、上部ガイド部材１１が形成され、この下部ガイド部材１０と上部ガイド部材１１とによって、支持手段が形成されている。
【００５６】
このような変形例によっても、上記実施形態におけるのと同様の作用が生じ、同様の効果を奏することができる。
【００５７】
本発明は、上記実施形態および変形例のみに限定されるものではなく、特許請求の範囲を逸脱することなく、例えば、次のような変形した態様での実施が可能である。
(１)  ３本の支柱２の後面側にも、それらの前面側に設けたのと同様の構成を、前後対称をなすように設け、前後両面に商品を同様に陳列できるようにする。
(２)  支柱２の前面の中央に、複数の係合孔５を１列に設け、各保持部材１８における係止部２０である下向きフック２０ａ等を、左右の把持片１９ａ、１９ａ間の中心線Ｌと整合するように配設する。
(３)  上向きフック２０ｂを省略する。
【産業上の利用可能性】
【００５８】
本発明は、化粧品陳列用什器だけでなく、スーパーマーケットやコンビニエンスストア等において使用される商品陳列什器、倉庫や工場等において使用される物品載置什器等を含むあらゆる什器に適用することができる。
【符号の説明】
【００５９】
Ｌ  中心線
Ｌ１仕切材の前後方向の移動可能範囲
Ｌ２保持部材における係止部の前後方向の長さ
１  ベース
２  支柱
３  上部連結杆
４  背面板
５  係合孔
６  棚板
７  ブラケット
７ａ係合爪
８  仕切板(仕切材)
９  支持枠(支持手段)
１０  下部ガイド部材
１０ａ下部杆
１１  上部ガイド部材
１２  上部杆
１２ａチャンネル材
１３  前部ガイド部材
１３ａ嵌合溝
１４  前部杆
１５  インナーサッシ
１６  アングル材
１６ａ長片
１６ｂ短片
１７  チャンネル材
１７ａ側片
１７ｂ基片
１８  保持部材
１９  保持部
１９ａ把持片
２０  係止部
２０ａ下向きフック
２０ｂ上向きフック
２１  取付孔
２２  プッシュリベット
２２ａグロメット
２２ｂプランジャ
２３  取付孔
２４  作業スペース
２６  横杆
２７  天板
２８、２９  レール
３０、３１  引き戸
３２  施錠装置
３３  収容空間
３４  ブラケット
３５、３６  凹溝
３５ａ、３６ａ  前端壁
【図１】
0006599689.tif 000002
【図２】
0006599689.tif 000003
【図３】
0006599689.tif 000004
【図４】
0006599689.tif 000005
【図５】
0006599689.tif 000006
【図６】
0006599689.tif 000007
【図７】
0006599689.tif 000008
【図８】
0006599689.tif 000009
【図９】
0006599689.tif 000010
【図１０】
0006599689.tif 000011
【図１１】
0006599689.tif 000012